(57)【特許請求の範囲】
【請求項１】
ＦＯＵＰ型容器（１３）をパージガスでパージする雰囲気置換装置（４０）において、
流出面（５０）から層流のパージガスを流出するように設計された非ノズル型パージプレート（４１）と、
待機位置と作動位置との間で前記パージプレート（４１）を移動させるパージプレート駆動機構（５１，５２，５３）と、
パージ期間中、前記パージプレート（４１）は前記作動位置におかれ、前記容器（１３）の開放面（１６１）に対面する姿勢で、前記開放面(１６１)の内部に向けて、層流のパージガスを流出して前記容器(１３)をパージすることと、を備える雰囲気置換装置。
【請求項２】
前記作動位置において、前記パージプレート（４１）は前記開放面（１６１）の中央に向けて、層流のパージガスが流出するように配置される、請求項１に記載の雰囲気置換装置。
【請求項３】
前記ＦＯＵＰ型容器（１３）は、基板（１５）を収納する容器である、請求項１に記載の雰囲気置換装置。
【請求項４】
前記基板（１５）はウエハ（１５）である、請求項３に記載の雰囲気置換装置。
【請求項５】
ロードポート（２）とコンパチブルである、請求項１に記載の雰囲気置換装置。
【請求項６】
前記パージガスは窒素ガスである、請求項１に記載の雰囲気置換装置。
【請求項７】
前記パージプレート（４１）は、前記容器（１３）の前記開放面（１６１）より小さい面積を有する、請求項１に記載の雰囲気置換装置。
【請求項８】
前記パージプレート（４１）は、前記パージガスの噴出力を抑制する噴出抑制素子（４９）を備える、請求項１に記載の雰囲気置換装置。
【請求項９】
前記噴出抑制素子（４９）は多孔質材で構成される、請求項８に記載の雰囲気置換装置。
【請求項１０】
開放時に搬送ロボット（４）による前記ＦＯＵＰ型容器（１３）へのアクセスが可能となるようにした、開閉自在なドア（１２）と、
前記ドア（１２）をX方向およびY方向に移動させるドア駆動機構（６０−６３、５６）を備える請求項１に記載の雰囲気置換装置。
【請求項１１】
前記X方向は水平方向であり、前記Y方向は垂直方向である、請求項１０に記載の雰囲気置換装置。
【請求項１２】
開放時に搬送ロボット（４）による前記ＦＯＵＰ型容器（１３）へのアクセスが可能となるようにした、開閉自在なドア（１２）と、
前記ドア（１２）の周縁に配置される内壁（４５）と
前記ドア（１２）と前記内壁（４５）との間に形成される隙間を通る高清浄度空気通路（１２１）を備える、請求項１に記載の雰囲気置換装置。
【請求項１３】
前記内壁（４５）に設けられたラビリンス構造の内壁シールドカバー（６７ａ，６７ｂ）と、
前記ドアに設けられたラビリンス構造のドアシールドカバー（６７ａ，６７ｂ）と、
前記内壁シールドカバー（６７ａ，６７ｂ）と前記ドアシールドカバー（６７ａ，６７ｂ）とにより、前記隙間が非接触シールされることを備える、請求項１２に記載の雰囲気置換装置。
【請求項１４】
前記内壁（４５）に設けられたラビリンス構造の内壁シールドカバー（６７ａ，６７ｂ）と、
前記ドアに設けられたラビリンス構造のドアシールドカバー（６７ａ，６７ｂ）と、
前記ドアを水平方向に移動するドア駆動機構（６０−６３）と、
前記ドアの水平方向の位置により、前記内壁シールドカバー（６７ａ，６７ｂ）と前記ドアシール間のシールの程度が、したがって、前記隙間が調整可能であることを、備える、請求項１２に記載の雰囲気置換装置。
【請求項１５】
ミニエンバイロメント空間ユニット（３）に隣接して配置される請求項１に記載の雰囲気置換装置。
【請求項１６】
前記ミニエンバイロメント空間ユニット（３）からの高清浄度空気が隙間を介して連通するように構成される請求項１５に記載の雰囲気置換装置。
【請求項１７】
前記ＦＯＵＰ型容器（１３）がドッキングされる開口部（４４）と、
前記開口部（４４）を画定する内壁（４５）と、
前記隙間が前記内壁（４５）と前記ドア（１２）の周縁との間に形成されることと、
前記開口部（４４）の上部に設けられ、前記パージガスを前記容器（１３）に向けて放出する補助ノズル（６８）を、備える請求項１６に記載の雰囲気置換装置。
【請求項１８】
パージ期間中、前記パージプレート（４１）から流出される1分間あたりのパージガス量は、前記容器（１３）の容積の１．４倍から１３．３倍までの範囲である、請求項１に記載の雰囲気置換装置。
【請求項１９】
前記パージプレート（４１）から流出する前記パージガスの速度は、前記パージプレートから２０ｍｍ前方の位置において、０．０５メートル／秒から０．５メートル／秒までの範囲である、請求項１に記載の雰囲気置換装置。
【請求項２０】
前記パージプレート（４１）の面積は前記容器（１３）の前記開放面（１６１）の面積の１０％から６０％までの範囲である、請求項７に記載の雰囲気置換装置。
【発明の詳細な説明】
【技術分野】
【０００１】
本発明は、半導体ウエハ、液晶ディスプレイパネル、有機ＥＬディスプレイパネル、プラズマディスプレイパネル、太陽電池用パネル等の薄板状基板を処理する際の、各処理工程間の搬送において、外部から隔絶された雰囲気内で薄板状基板を所定の間隔で収納する密閉容器に対して、容器内部の雰囲気を不活性ガス等の雰囲気に置換する雰囲気置換装置及び雰囲気置換方法に関するものである。
【背景技術】
【０００２】
従来から、半導体ウエハ等の薄板状基板に成膜、エッチングといった様々な処理を行う処理装置や、移載を行うＥＦＥＭ（Ｅｑｕｉｐｍｅｎｔ  Ｆｒｏｎｔ  Ｅｎｄ Ｍｏｄｕｌｅ)、ロット番号を読み取り仕分けするソーターと呼ばれる装置では、空気中に浮遊するパーティクルが薄板状基板に付着するのを防止するため、薄板状基板の曝される装置内部雰囲気を高清浄に保つミニエンバイロメント方式と呼ばれる高度に清浄化された微小空間とすることで、比較的安価に高い清浄度を保つ工夫がなされてきた。【０００３】
しかし近年、半導体回路線幅のデザインルールの微細化、ウエハ直径の大口径化が進行し、従来のミニエンバイロメント方式による高清浄化だけでは対応出来ない問題が現れてきている。処理装置により処理され、密閉容器内部に運び込まれた薄板状基板の表面が空気中の酸素や水分に反応して自然酸化膜等の各種処理工程上好ましくない膜が生成してしまったり、空気中の酸素や水分以外にも、処理装置内で使用された汚染物質が薄板状基板上に付着したままの状態で密閉容器内に運び込まれ、この汚染物質が密閉容器内の他の薄板状基板までも汚染してしまったりして、次の処理工程に悪影響を及ぼすこととなり歩留まりの悪化を招いてしまう。【０００４】
そういった問題を解決するための方法として、密閉容器内に入り込んだ空気や汚染物質を不活性ガスで除去し、密閉容器内を不活性ガスで満たすことにより内部に収納された薄板状基板表面の酸化を防止する様々な方法が考えられてきた。
［特許文献１］では、密閉容器の１つであるＦＯＵＰ（ＦｒｏｎｔＯｐｅｎｉｎｇＵｎｉｆｉｅｄＰｏｄ）に載置されたウエハと所定の距離だけ隔てた位置に設けられ、不活性のパージガスを吹出するガス供給ノズルを鉛直方向に上下動させることにより、ウエハ表面に付着した汚染物質を除去する方法が開示されている。しかし、この方法では、薄板状基板の１種であるウエハの表面に付着した汚染物質をウエハ上から吹き飛ばすことは可能であるが、吹き飛ばされた汚染物質がミニエンバイロメント空間内に排出されてしまったり、ＦＯＵＰ内部やウエハ表面に付着していた塵埃をＦＯＵＰ内に撒き散らせてウエハ処理面を傷つけてしまったりという不都合が起きる可能性がある。【０００５】
また、［特許文献２］では、不活性ガスを供給するノズルに加えて、ＦＯＵＰ内周縁に沿って流れた不活性ガスを吸入する補助ノズルを設け、ＦＯＵＰ内を不活性ガスが周回軌跡を描くことが出来るような流路を作り出している。また、ＦＯＵＰ開放面とノズルを覆う様にカバーを設けることで、パージガスの外部への流出を抑え、効率の良いパージを行う方法が開示されている。【０００６】
しかし、この方法でもノズルから流出されたパージガスが乱流となってしまい、ウエハ表面に付着している塵埃をＦＯＵＰ内に撒き散らせて、ウエハ処理面を傷つけてしまう不都合は十分に解消されていない。その上、容器開放部の一方の縦側端からガスを吹き込み他方の縦側に排出する際、容器内で不活性ガスが空気と旋回混合することで置換が遅くなり、結果として必要とされる不活性ガス量が多くなってしまい、効率の良いパージを行うには不十分なものであった。また、密閉空間形成部を付加したり、パージガスを流出するノズルに加えて、パージガスを流入するノズルを設けたりといった、付加する部品が増えることによるコストアップとなってしまうという問題がある。
【先行技術文献】
【特許文献】
【０００７】
【特許文献１】特開２００５−３３１１８号公報
【特許文献２】国際公開ＷＯ２００５／１２４８５３号公報
【発明の概要】
【発明が解決しようとする課題】
【０００８】
本発明は、以上のような問題点に鑑みてなされたものであり、ノズルを使用することなく、効率よく、有効にＦＯＵＰ型容器の内部雰囲気をパージガスで置換することが可能な雰囲気置換装置を提供することを主たる目的とする。
【課題を解決するための手段】
【０００９】
本発明の一形態によれば、ＦＯＵP型容器をパージガスでパージする雰囲気置換装置が提供される。ここに、ＦＯＵP型容器とは、前面に開放面を有し、開放面をカバーで密閉可能な収納容器であり、たとえば、半導体プロセス間で使用されるＦＯＵP（ＦｒｏｎｔＯｐｅｎｉｎｇＵｎｉｆｉｅｄＰｏｄ）を含むがこれには限定されない。この雰囲気置換装置は、従来のノズル型のパージガス噴出機構とは対照的に、流出面から層流のパージガスを流出するように設計された非ノズル型パージプレートを使用する。この新規なパージガス噴出機構（非ノズル型パージプレート）は、待機位置と作動位置を有する。パージプレート駆動機構（たとえば、昇降機構）によって、パージプレートは待機位置と作動位置との間で移動可能である。パージ期間中、パージプレートはこの作動位置におかれ、ＦＯＵP型容器の開放面に対面する姿勢で、開放面の内部（好適には、開放面の中央）に向けて、層流のパージガスを流出して前記容器をパージするように作動する。【００１０】
パージプレートは本発明のキーコンポーネントである。この新規なパージガス噴出機構は、従来のノズル型に比べて、（a）ガス流がプレーン流出方式による比較的大きなガス断面積（総気孔面積換算）を有する一様な層流である、（ｂ）ガス流が比較的低速である（好ましくは、パージプレートから前方、２０ｍｍの位置において、０．０５メートル／秒から０．５メートル／秒までの範囲）ため、従来のノズル型パージガス噴出機構において遭遇していた「攪拌現象（ＦＯＵP型容器内で、残留空気と供給ガスとが混じり合う現象を伴う）」を十分に抑制することができ、結果として、有効で効率のよいガス置換が可能となる。【００１１】
パージプレートから出るガス流はスローであるにもかかわらず、従来のノズル型から得られる高速のガス流よりも短い時間でパージングを実施する可能性を有する。これは予想外の効果であるといえる。また、パージプレートから出るガス流はスローな層流である。したがって、従来のノズル型パージガス噴出機構において遭遇していた「発塵現象（ＦＯＵP型容器内で塵埃が舞い上がる現象）」をこのスローなガス層流で十分に抑制することができる。半導体製造工場（ＦＡＢ）において、塵埃（パーティクル）は半導体ウエハなどを汚染し、重大な歩留まりの低下をもたらすことから、パージプレートに基づく、この発塵抑制機能は非常に重要である。【００１２】
パージプレートの作動位置に関して説明する。好適な形態において、パージプレートの作動位置は、ＦＯＵP型容器の移動経路上に位置する。したがって、パージプレートが待機位置にあるとき、ＦＯＵP型容器は、パージプレートの作動位置を占有することができる。この占有状態において、ＦＯＵP型容器の前面はドアに当接してよい。なお、ドアは、従来のロードポートのドアと同様に、開いているときに、搬送ロボットのマニュプレータが通過可能になっている。この当接状態において、ドアは、従来のロードポートのドアと同様のメカニズムで、ＦＯＵP型容器からカバーを取り外し（容器を開放し）ドア自身に装着し、あるいは、この逆に、カバーをドアから取り外しＦＯＵP型容器の開放面に装着する（容器を密閉する）こととなる。パージプレートが作動位置にあるとき、ＦＯＵP型容器は、その開放面がパージプレートに対面し、パージプレートからのパージガス流をダイレクトに受ける位置（パージガス受け入れ体勢）にある。このために、ＦＯＵP型容器は、パージに先立って、「占有位置」から「パージガス受け入れ位置」に移動する。これにより、パージプレートの作業スペースが確保される。【００１３】
作業スペース確保機構はＦＯＵP型容器を移動経路に沿って移動させるＦＯＵP型容器移動機構であり得る。これは、たとえば、従来のロードポートのようにＦＯＵP型容器を載せたステージを移動させるステージ移動機構で実現できる。代替として、あるいはこれと組み合わせて、ドアをＦＯＵP型容器から離れる方向に移動させるドア移動機構を設けることができる。このような作業スペース確保機構により、パージプレートの作動位置は、ＦＯＵP型容器（の開放面）とドアとの中間に存在することになる。【００１４】
好適な形態において、パージプレートは、パージガスの噴出力を抑制または阻害する噴出抑制素子を備える。好ましくは、噴出抑制素子はエアフィルタ材などの多孔質材で構成される。【００１５】
好適な形態において、雰囲気置換装置はロードポートとコンパチブルに設計される。【００１６】
雰囲気置換装置のドア自体は、通常のロードポートのドアで実現してよい。好適な形態において、雰囲気置換装置に、ドアをX方向（たとえば水平方向）とY方向（たとえばX方向と直交する方向、たとえば垂直方向）に移動するドア移動機構が設けられる。【００１７】
所定の応用において、雰囲気置換装置は、通常のロードポートがそうであるように、ミニエンバイロメント空間ユニットに隣接して配置される。すなわち、ドアの向こうにミニエンバイロメント空間があり、このドアの開放時にミニエンバイロメント空間側から搬送ロボットがマニピュレータ（ロボットアーム）を使ってＦＯＵP型容器にアクセスする（ウエハ移載作業を行うため）。この種の応用では、雰囲気置換装置は、開口部内にＦＯＵP型容器をセットした状態（開放面を含むＦＯＵP型容器の頭部分のみが開口部内に入り込んだ状態）で、パージング（雰囲気置換）を実施する。開口部は雰囲気置換装置の内壁により画定される。したがって、一般に、雰囲気置換装置の内壁とドアとの間には、隙間があり、開口部内は、この隙間を通して、ミニエンバイロメント空間ユニットからの高清浄度空気と限定的に連通している。【００１８】
したがって、開口部にＦＯＵP型容器をセットした状態において、雰囲気置換装置は、開口部内が、この隙間を通じて常時、高清浄度空気に曝されている。一般に、ミニエンバイロメント空間ユニットは外部からの低清浄度空気の浸入を回避するため、外部より高い気圧（「陽圧」）下に置かれる。【００１９】
この発明の別の諸特徴は、本発明のパージプレート付雰囲気置換装置を上記のような隙間連通型雰囲気置換装置（パージポート）に適用した場合の改良に関している。したがって、これらの特徴は、「原理的に」、ノズル型雰囲気置換装置にも適用できる。しかしながら、ノズル型パージガス噴出機構に固有の「攪拌現象」、「発塵現象」を許容可能なレベルに抑制できないノズル型雰囲気置換装置に、これらの特徴を組み入れたとしても、基本的性能には改善が期待できないため、相乗効果は得られないと考えられる。換言すると、「攪拌現象」、「発塵現象」を許容可能なレベルに抑制する基本性能を備えた雰囲気置換装置に適用した場合に有効である。【００２０】
好適な形態において、上記隙間を実効的に無しとする機構が、雰囲気置換装置に設けられる。具体的には、雰囲気置換装置の内壁にラビリンス構造の内壁シールドカバーを設ける。さらに、前記ドアにも、同様なラビリンス構造のドアシールドカバーを設ける。そして、前記内壁シールドカバーと前記ドアシールドカバーとにより、前記隙間が非接触シールされるように配置、構成する。これにより、実効的に、隙間が無くなるため、高清浄度空気の浸入が可及的に低減される。この結果、所要のパージングに必要な時間（パージタイム）を短縮することができる。さらに、ラビリンスシール構造の特性から、内壁とドアとの接触、または衝突（ここでは、内壁シールドカバーとドアシールドカバーとの接触または衝突）は、起きないため、接触、衝突に起因する「発塵」は有効に防止される。【００２１】
別の好適な形態において、上記隙間を可変とする隙間調整機構が、雰囲気置換装置に設けられる。具体的には、雰囲気置換装置の内壁にラビリンス構造の内壁シールドカバーを設ける。同様に、前記ドアにもラビリンス構造のドアシールドカバーを設ける。さらに、前記ドアを水平方向に移動するドア駆動機構を設ける。そして、前記ドアの水平方向の位置により、前記内壁シールドカバーと前記ドアシールドカバーとの間のシールの程度が調整可能（したがって、前記隙間が調整可能）となるように設計する。これにより、実効的に、隙間を所望の大きさ（シールドの「深さ」に対応した実効的な大きさ）に調整できるので、パージングタイムを短縮できる。また、高清浄度空気の開口部内への浸入を適度に調整できる。【００２２】
ミニエンバイロメント空間の隣にパージプレート付雰囲気置換装置を配置した形態の場合、隙間を介して連通する高清浄度空気の流れ（図9の高清浄度空気通路１２１参照）は、パージプレートがパージガス流れをＦＯＵP型容器ＦＯＵP型容器に供給する期間（パージ期間）では、適度に存在する方が、結果的にパージングタイムを短縮することを本願発明者は見いだした（図9の流れ模式図を参照）。パージプレートの動作が停止すると（パージプレートのパージ動作完了）、パージガスのストリームが消滅することから、パージガスカーテン効果がなくなり、このモード（パージプレート動作完了モード）下での高清浄度空気の浸入（一部は、ＦＯＵP型容器の奥へと浸入するであろう）は、結果的にパージタイムを長引かせる要因になる。【００２３】
この遅延要因を排除するため、パージプレートの動作完了後、瞬時に（たとえば、ミリ秒のオーダー、たとえば、１００ミリ秒程度で）ＦＯＵP型容器にカバーを被せて容器を密閉することが考えられる。しかし、カバーをドア以外の場所に待機させておいて装着する必要があり、実用的ではない。現実的には、パージプレートがＦＯＵP型容器の移動の障害にならなくなったタイミング（たとえば、待機位置に後退したタイミング）で、ドアにまでＦＯＵP型容器を移動させ、ドアからカバーを外し、ＦＯＵP型容器に取り付けることになる。この方式による、パージプレート動作完了からＦＯＵP型容器密閉までの時間は、ある程度短時間（例えば、一秒程度）で実現可能である。【００２４】
代替として、または組み合わせて、パージプレート動作完了モード下で、ミニエンバイロメントユニットからの高清浄度空気の浸入を実効的に低減する機構を設けることができる。これにより、所要のパージングタイムをさらに短縮することができる。【００２５】
一構成例において、この機構は、ＦＯＵP型容器内に向けてパージガスを補給する補助ノズル内壁に設けることで実現される。好ましくは、この補助ノズルはパージプレート動作完了モード中に動作するように制御される。これは簡単な構成であるが、結果的に十分有効であること（特に、所要パージングタイムを短縮する点に関して有効であること）が判明した。【００２６】
上記深さ調整可能なラビリンス機構（隙間可変調整機構）をこの目的に利用することもできる。具体的には、パージプレート動作完了時に（あるいは完了時点に先行する適当なタイミングから開始して）、水平ドア駆動機構により、ドアを水平方向に最も深いシール位置に向けて動かし、パージプレートの動作停止中に、ドアが最も深いシール位置に維持されるように制御する。【００２７】
また、上記深さ調整可能なラビリンス機構（隙間可変調整機構）は、使用するミニエンバイロメント空間ユニットの内外差圧（陽圧）の大きさに応じて、隙間の大きさを制御することが可能である。これによって、使用するミニエンバイロメント空間ユニットの内外差圧（陽圧）の大きさ（またはミニエンバイロメント空間ユニットの使用環境）を補償する。
【図面の簡単な説明】
【００２８】
本発明の上記およびその他の目的、特徴、利点は、図面を参照してなされる以下の詳細な説明から明らかとなる。参照する図面は下記の通りである。
【図１】一般的な処理装置の概要を示す斜視図である。
【図２】処理装置の断面図である。
【図３】ウエハ収納容器の一つであるＦＯＵＰの構造を示す斜視図である。
【図４】ロードポートの概要を示す斜視図である。
【図５】本発明の一実施例に係るパージポート（雰囲気置換装置）を示す断面図である。
【図６】図5のＦＩＭＳドア周辺を示す斜視図である。
【図７】パージプレートの実施例を示す斜視図である。
【図８】パージプレートの別の実施例を示す斜視図である。
【図９】本発明の実施例に基づいて、パージポートによりＦＯＵＰがパージングされる様子を説明するため、ＦＯＵＰ内の気流を模擬的に示した断面図である。
【図１０】本発明の実施例に基づいて、ＦＩＭＳドアを水平方向に駆動するドア駆動機構の斜視図である。
【図１１】パージポートの動作シーケンスを示す断面図である。
【図１２】パージプレート内の配管及び信号入出力の系統を示す図である。
【図１３】ＦＩＭＳドア駆動機構周辺を示す斜視図である
【図１４】本発明の実施例に基づいて、ＦＩＭＳドアに取り付けられたシールドカバー６７ａ、６７ｂを示した斜視図である。
【図１５】試験環境を示した説明図である。
【図１６】試験用ミニエンバイロメント空間ユニットの内外差圧を３．５Ｐａと２．５Ｐａとした場合の窒素ガス（パージガス）流量と供給時間の違いによる酸素濃度の推移を示したグラフである。
【図１７】窒素ガスの流量及び供給時間を一定にした場合の内外差圧と酸素濃度の推移の関係を示したグラフである。
【図１８】内外差圧を一定にした場合の窒素ガス流量と供給時間の違いによる酸素濃度の推移を示したグラフである。
【発明を実施するための形態】
【００２９】
以下に、本発明を図面に示した特定の実施例について詳しく説明する。図１は処理装置１の斜視図であり、図２はその断面図である。処理装置１はクリーンルームと呼ばれる、０．５μｍダストでクラス１００程度の比較的清浄な雰囲気に管理された工場内に設置されている。処理装置１は主として、ロードポート２、ミニエンバイロメント空間ユニット３、搬送ロボット４、ファンフィルタユニット５、真空チャンバ６、プロセスチャンバ７で構成されている。ミニエンバイロメント空間ユニット３はフレームと、そのフレームに固定され外部雰囲気と分離するための壁面と、外部からの空気を高清浄な空気に清浄化したうえでダウンフローとしてミニエンバイロメント空間ユニット３に導入する高清浄空気導入手段であるファンフィルタユニット５が設けられている。ファンフィルタユニット５にはミニエンバイロメント空間ユニット３の天井に設置され、ミニエンバイロメント空間ユニット３内部に向かって下向きに空気を送るファン８と、送られてきた空気の中に存在する塵埃や有機物などの汚染物質を除去するフィルタ９が具えられている。
【００３０】
また、ミニエンバイロメント空間ユニット３の床面１０（図２）はパンチングプレート等所定の開効率を有する空気流通可能な部材が用いられている。これらの構成により、ファンフィルタユニット５により内部に供給された清浄空気は常にミニエンバイロメント空間ユニット３内を下向きに流れ、床面１０から装置外部へと排出されることとなり、ミニエンバイロメント空間ユニット３内は高清浄雰囲気に保たれている。搬送ロボット４は薄板状物の１種であるウエハ１５(図３(a))をＦＯＵＰと呼ばれる容器１３内とプロセスチャンバ７との間を搬送するもので、ロボット４のアーム可動部分は磁性流体シールなどの発塵防止のシール構造とすることで、発塵によるウエハ１５への悪影響を極力抑える工夫がなされている。この構成により、ウエハ１５は高清浄な雰囲気内で搬送ロボット４により搬送される。また、ミニエンバイロメント空間ユニット３内部気圧は外部よりも高い圧力「陽圧」となっており、典型的には１．５Ｐａ程度の差圧をもつように維持されている。このようにして、外部からの汚染物質や塵埃の侵入を防止することで、ミニエンバイロメント空間ユニット３内部の清浄度は０．５μｍダストでクラス１以上の高清浄度を維持することが可能となっている。
【００３１】
次にロードポート２について図１及び図４にて以下に説明する。ロードポート２はミニエンバイロメント空間ユニット３を形成するフレーム３ａの所定の位置に固定されており、密閉可能な容器の一種であるＦＯＵＰ１３を所定の位置に載置するステージ１４と、ステージ１４を支持し、ステージ１４を前進・後退動作させるステージ駆動機構２９と、搬送ロボット４がＦＯＵＰ１３内のウエハ１５の搬出・搬入を行うためのポート開口部１１と、ポート開口部１１を一定の隙間を開けて塞ぐ位置にあり、ＦＯＵＰ１３の内部を密閉するためのカバー１７と一体化するＦＩＭＳドア１２と、ＦＩＭＳドア１２を昇降動作させるＦＩＭＳドア昇汞機構１９を具えている。
【００３２】
ＦＩＭＳドア１２の開扉動作及び閉扉動作については、カバー１７と一体化したＦＩＭＳドア１２をＦＯＵＰ１３に対して離間した位置まで往復動作させるカバー開閉手段を設けるか、若しくは、ステージ駆動機構２９がＦＯＵＰ１３を載置したステージ１４を、カバー１７と一体化したＦＩＭＳドア１２に対して離間した位置まで往復動作させることで可能となる。この場合、ステージ駆動機構２９がカバー開閉手段の役割も担うこととなる。なお、これらの機構は半導体製造に係る規格であるＳＥＭＩ規格によって規定されたＦＩＭＳ（Ｆｒｏｎｔ−ｏｐｅｎｉｎｇ  Ｉｎｔｅｒｆａｃｅ  Ｍｅｃｈａｎｉｃａｌ  Ｓｔａｎｄａｒｄ）システムに対応したものとなっている。
【００３３】
ステージ駆動機構２９は駆動源であるモータ２９ａと送りネジ２９ｂを具えており、モータ２９ａの回転が送りネジ２９ｂに伝達され、送りネジ２９ｂに固定されたステージ１４を任意の位置まで移動させることが可能となっている。なお、モータ２９ａと送りネジ２９ｂに代えて、空気圧や油圧といった流体圧を利用したシリンダを使用することとしても良い。ＦＯＵＰ１３はステージ１４に配置された位置決め手段３０としてのキネマティックピン３０によりステージ１４の所定の場所に正確に載置され、不図示の係合手段によってステージ１４と係合される構造となっている。
【００３４】
ＦＩＭＳドア１２は、ＦＯＵＰ１３のカバー１７に対して、位置決めと吸着力による一体化を行うためのレジストレーションピン２３ａと、カバー１７に具えられたラッチキー穴２４に嵌合し、回転することでラッチキー穴２４と連動するロック機構２５と、ラッチキー穴２４と係合し、ロック状態とロック解除状態を切り換えるラッチキー２３ｂを具えている。これらの構成によって、ＦＯＵＰ１３を構成するカバー１７とキャリア１６のロック状態は解除され、カバー１７とＦＩＭＳドア１２は一体化される。
【００３５】
ＦＩＭＳドア１２はブラケット３１を介して、ＦＩＭＳドア昇汞機構１９に昇降自在に取り付けられている。これらの構成によって、ＦＯＵＰ１３のカバー１７と一体化出来る位置まで上昇させられたＦＩＭＳドア１２は、上記のようにしてカバー１７と一体化する。下降のために、ＦＩＭＳドア１２はカバー１７に備えられたロック機構２５を解除した後、任意の位置までの下降動作が可能となる。なお、図４において、ＦＩＭＳドア昇汞機構１９は、駆動源であるモータ１９ａが送りネジ１９ｂを正転もしくは逆転の回転動作させることにより、ＦＩＭＳドア１２を任意の位置まで昇降移動させることが可能となる構成としているが、これに代えて、空気圧や油圧といった流体圧を利用したシリンダを使用することとしても良い。
【００３６】
また、上記の構成に加えて、ロードポート２にはＦＯＵＰ１３内部のどの棚１８にウエハ１５が載置されているか否か、或いはその数を検知するマッピングセンサ３２が具えられている。
【００３７】
図４において、マッピングセンサ３２は、ウエハ１５の載置される面と平行な光軸を有する一対の透過型センサが用いられており、ウエハ１５の水平面上の周縁を囲む様に間隔を開けた略コの字形状のセンサ取付部３３上に取付けられている。センサ取付部３３の両端はセンサ駆動機構３４に回転自在に取り付けられている。センサ駆動機構３４の駆動源としてはモータやロータリーアクチュエータであり、これらの駆動源が回転動作することにより、駆動源の軸を中心にセンサ取付部３３が回動し、上部に取り付けられたマッピングセンサ３２がキャリア１６内部に進入することとなる。
【００３８】
センサ駆動機構３４はブラケット３１に固定されており、ＦＩＭＳドア昇汞機構１９の動作に連動して昇降動作を行うことが可能で、これによりキャリア１６内の全棚１８についてのウエハ１５の有無を検知することが可能となる。また、各駆動機構への出力信号やセンサ等の入力信号は制御部３７によって制御されている。
【００３９】
上記の構成に加えて、ロードポート２の内部に具えられた各駆動源や可動部から発生する塵埃や外部からの塵埃がミニエンバイロメント空間ユニット３に侵入することを防ぐために、壁面３５を設けることや、外部からの低清浄空気の進入を防ぐために外部に面した部分をカバー３６で覆うことも出来る。また、ロードポート２内で発生した塵埃を外部に排出するための排気ファン３７を具えることも可能である。これによって、ミニエンバイロメント空間ユニット３内に塵埃が流出するのを防止出来るだけでなく、ミニエンバイロメント空間ユニット３内を流れている高清浄空気のダウンフローが壁面３５の上部開口部分から浸入し、ロードポート２の底面に設けられた開口部を通り、装置外部へ排出されることとなり、ＦＩＭＳドア１２と一体化された状態で下降位置にあるカバー１７に塵埃等の汚染物質が付着することも防止できる。
【００４０】
次に密閉可能な容器の一種であるＦＯＵＰ１３について説明する。ＦＯＵＰ１３は内部を高清浄な雰囲気に維持することで、被収納物であるウエハ１５を低清浄な外部雰囲気から隔絶し、各工程間の搬送を行うための密閉可能な容器である。図３は半導体のウエハ収納容器の１種であるであるＦＯＵＰ１３の構造を示す斜視図である。ＦＯＵＰ１３は内部にウエハ１５を収容するキャリア１６と、キャリア１６からウエハ１５を出し入れするために前面に設けられた開放面１６１を有するフランジ部２６と、開放面１６１を密閉して、キャリア１６内部を密閉するためのカバー１７を備えている。図３（ａ）に示すように、キャリア１６の内部壁面にはウエハを複数枚載置するための棚１８が垂直方向に所定の間隔をおいて設けられている。
【００４１】
また、ＦＯＵＰ１３の上部にはＯＨＴ（Ｏｖｅｒｈｅａｄ  Ｈｏｉｓｔ  Ｔｒａｎｓｐｏｒｔ）に代表されるＦＯＵＰ搬送ロボットにより自動搬送される際のＦＯＵＰ搬送ロボットとの係合部であるトップフランジ２０が具えられている。また、キャリア１６の側部にはＦＯＵＰ１３を手動で搬送する際に取っ手となるハンドル２１（図1）が具えられている。これによりＦＯＵＰ１３は、内部にウエハ１５を収納した状態で密閉され、自動または手動にて処理装置間を搬送されることが可能となる。なお、図３（ｂ）はカバー１７のＦＩＭＳドア１２に対向する面を示した図であり、図３（ｃ）はカバー１７のキャリア１６と当接する面を示した図であって、カバー１７はキャリア１６の開放面１６１においてキャリア１６と嵌合し、ＦＯＵＰ１３内部を密閉空間とするものである。
【００４２】
ＦＯＵＰカバー１７の外側の面、すなわちＦＩＭＳドア１２と対向する面には、ＦＩＭＳドア１２に対するカバー１７の位置決めのための位置決め穴２２と、ロードポート２に具えられたラッチキー２３によってカバー１７をキャリア１６に係合／分離するためのラッチキー穴２４が具えられている。また、カバー１７の上下の縁にはロック機構２５が具えられているが、これはカバー１７をキャリア１６の開放面１６１周縁に設けられたフランジ部分２６に係合するためのものである。このロック機構２５はラッチキー穴２４と連動しており、ラッチキー穴２４をＦＩＭＳドア１２に具えられたラッチキー２３で左右に回転させることにより、ロック機構２５をロック状態と開放状態に操作可能となっている。
【００４３】
ＦＯＵＰカバー１７の内側の面、すなわち、キャリア１６の開放面と接触する面には、ＦＯＵＰ１３内の密閉性を保つためのシール材２７と、ＦＯＵＰ１３内部に収納されたウエハ１５の縁を水平方向に押さえ付け、固定するための保持部材２８が具えられている。この保持部材２８により、キャリア１６内部のウエハ１５は棚１８上に載置された状態でキャリア１６内壁と保持部材２８により固定され、手動もしくはＦＯＵＰ搬送ロボットによる搬送の際、ＦＯＵＰ内部でのガタつきが抑制される。これら詳細な寸法等の情報は半導体製造に係る規格であるＳＥＭＩ規格によって規定されている。
【００４４】
本発明の実施例によれば、ＦＯＵＰの雰囲気（内部ガス）を置換する雰囲気置換装置（「パージポート」）は、ロードポート（例えば、図４に例示したロードポート２）に組み込み可能に設計されている。このようなパージポートを図面に４０で示している。図５は、ＦＯＵＰ１３内をパージガス（不活性ガス）でパージするパージポート４０を側面から見た断面図であり、図６はパージポート４０のキーコンポーネントであるパージプレート４１が往復運動可能（出没可能）に配置されるＦＩＭＳドア１２周辺についての斜視図である。
【００４５】
本発明の実施例の特徴によれば、パージポート４０は、ＦＯＵＰ１３にパージガス（不活性ガス）を供給するためのパージプレート４１を備える。パージプレート４１は、非動作時には、下方の後退位置（図５に示す状態）に収納される。パージ動作のために、パージプレート４１は、挿通孔６６（図６）を通って後退位置の上方である雰囲気置換位置に進出する。本発明の実施例の特徴によれば、この進出位置において、パージプレート４１は、図９に例示するように、ＦＩＭＳドア１２（これには、あらかじめＦＯＵＰ１３のカバー１７が装着され、一体化されている）とＦＯＵＰ１３の開放面１６１との間に位置する。好ましくは、この進出位置において、パージプレート４１の面（パージガスが噴出する面）は、パージプレート４１の面開放面１６１と平行または略平行（傾き角度プラスマイナス２０度以下でありえる）になり（図９）、パージプレート４１は開放面１６１の内部（非周縁部、好ましくは、開放面１６１の中央部）と面する姿勢（オリエンテーション）に置かれる。この対面姿勢において、パージプレート４１はパージ動作を行う。すなわち、パージプレート４１の面から、ほぼ一様で、低速のパージガスが噴出し、層流（図９の黒塗りの矢印参照）を形成して容器１３内部に流入し、容器１３の雰囲気がパージされる。パージプレート４１の流出面は、キャリア１６の開放面１６１の内部（好ましくは中央部）に対応する形状を有してよい。たとえば、図示の実施例において、パージプレート４１は略長方形である。このパージプレート４１の縦横の寸法は、流体（パージガス）拡散を考慮して、キャリア１６の開放面１６１の縦横それぞれより小さいことが好ましく、且つ、パージプレート４１からの不活性ガスがキャリア開放面１６１の中央部に層流として流入することが好ましい（図９参照）。
【００４６】
このような構造、配置を有するパージプレート１４によって、効率の良い雰囲気ガス置換が実現される。すなわち、パージプレート４１の流出面から出てキャリア１６の中央部を流れる層流の不活性ガス（図９のキャリア１６内に示す黒塗り矢印参照）は、キャリア内の空気（図９のキャリア１６内に示す白抜き矢印参照）をパージプレート４１の周縁とキャリア１６の開放面１６１の周縁との間を通して層流状態で押し出し、キャリア１６内におけるパージガス（不活性ガス）と空気との混合、攪拌をできるだけ少なくすることができるのである。尚、ここでいうパージガス（不活性ガス）とは、窒素、アルゴン、ネオン、クリプトンのほか、乾燥空気をも含み得る。
さらに、パージポート４０は、パージプレート４１を作動位置（雰囲気置換位置）と待機位置（収納位置）との間で上下に往復移動（昇降移動）させるパージプレート昇汞機構４２と、ＦＩＭＳドア１２を前進・後退させるＦＩＭＳドア駆動機構４３と、パージポート４０の各コンポーネントを制御する制御部４６を具えている。
【００４７】
好適な実施例のパージポート４０において、パージポート開口部４４は、パージプレート４１によってＦＯＵＰ１３のパージング（雰囲気置換動作）が行われる場所を提供する。また、パージポート開口部４４は、搬送ロボット４がＦＯＵＰ１３内のウエハ１５を搬出・搬入する場所としても使用される。このパージポート開口部４４は、通常のロードポート（たとえば、図４に示すロードポート２）のポート開口部と同様に、ステージ１４に載置されたＦＯＵＰ１３のフランジ部分２６が通過可能な開口面積を有している。ローディングシーケンスの１動作ステップにおいて、ステージ１４に載置されたＦＯＵＰ１３はパージポート開口部４４の入口を通り、開口部４４の所定の位置に待機しているＦＩＭＳドア１２に出会い、その位置、カバー１６がＦＯＵＰ１３から取り外され、ＦＩＭＳドア１２に装着される（すなわちＦＩＭＳドア１２に一体化される）。また、隣接したミニエンバイロメント空間ユニット３とパージポート開口部４４との間のダイレクトな流体連通を防止または抑制するために、ミニエンバイロメント空間は、パージポート開口部４４の上下左右の内壁４５（図６に示す４５ａ、４５ｂ、４５ｃ、４５ｄ）が構成する隔壁によってパージポート４０の内部空間とは隔離されている（すなわち、流体連痛は隙間を介して抑制されている）。
【００４８】
パージポート開口部４４の下側内壁４５ｄにはパージプレート４１が通過するに十分な面積を有する挿通孔６６が形成されており、この挿通孔６６を通って、パージプレート４１は作動位置（雰囲気置換位置）と待機位置（収納位置）との間を昇降移動可能となっている。なお、図示の実施例（図５、図６参照）において、挿通孔６６の上方はミニエンバイロメント空間ユニット３内部の高清浄空気がＦＩＭＳドア１２の周縁（ＦＩＭＳドア１２と内壁４５ａ、４５ｂ、４５ｃ、４５ｄとの隙間）を通って外部へ流出している。この高清浄空気の流れが、「エアカーテン」ないし「エアドア」となって、プロセス装置外部の低清浄な空気が挿通孔６６を通って待機位置（収納位置）にいるパージプレート４１にまで達することを防いでいるので、挿通孔６６を覆う蓋部材を設ける必要はないが、所望であれば、挿通孔６６を開閉自在に覆う蓋部材を設けることで挿通孔６６から内部への低清浄空気の浸入を確実に防止することができる。
【００４９】
また、内壁４５ａ、４５ｂ、４５ｃとＦＩＭＳドア１２周縁部分との間の隙間が大きすぎると、ミニエンバイロメント空間ユニット３内の高清浄空気が大量にその隙間を通って外部へ流れ出してしまい、ミニエンバイロメント空間ユニット３内部の内圧が上がらず、清浄度が維持出来ない場合もあるので、高清浄空気のミニエンバイロメント空間ユニット３外部への流出を制限するために、内壁にはフランジパネル６５が設けられている。このフランジパネル６５は、ＦＯＵＰ１３に対向するＦＩＭＳドア１２の面と略同一面上に設けられ（図９参照）、内壁４５ａ、４５ｂ、４５ｃと対応する各フランジパネル辺は密接されている。なお、図６、図９の具体例において、ＦＩＭＳドア１２とフランジパネル６５とは、数ｍｍ程度の隙間をもって配置されており、この隙間により高清浄空気流出調整機能が実現される。すなわち、この隙間から、ミニエンバイロメント空間ユニット３内部の適度な量の高清浄空気が外部へと流出されることとなり、ミニエンバイロメント空間ユニット３内部の内圧を維持した上で、外部からの低清浄な空気の浸入も有効に防止される。
【００５０】
次にパージプレートの具体例について、図７及び図８を参照し、詳しく説明していく。パージプレート４１は、上記パージプレート昇汞機構４２の移動子に取り付けられたブラケット５２（図５）に固定された支柱４７に支持されていて、パージプレート昇汞機構４２の昇降動作に連動して昇降可能となっている。支柱４７は中空のパイプ状になっていて、内部には不活性ガスを流通させる配管経路３９が挿通している。この配管経路３９（図７）がパージプレート４１の内部配管４８と繋がっており、パージプレート４１に不活性ガスの供給が可能となっている。
【００５１】
パージプレート４１の形状、サイズは、好適には、パージプレート４１と対面するＦＯＵＰ１３の開放面１６１の形状、サイズに基づいて設計される。具体例として、図７及び図８に示すように、パージプレート４１は薄い直方体形状を有しており、内部には一端から導入されてきた不活性ガスを、２次元配置された（たとえば、２次元マトリクス配置された）多数の噴出端に分散させるための枝分かれ形状を有する配管４８と、配管４８の各噴出端（配管出口）に設けられ、送られてきた不活性ガスの流速を低減し、且つ不活性ガスを広範囲に放散させる噴出抑制素子４９の２次元アレイを有している。配管４８を多数の枝分かれ形状とすることで、配管４８の一端から導入された不活性ガスの噴出力は枝分かれした各噴出端に分散されることによって、各噴出端から噴出される不活性ガスの勢いを低下させる働きがある。
【００５２】
配管４８を枝分かれ形状とすることは種々の方法で実現できる。たとえば、ポリウレタンやＰＴＦＥ（ポリテトラフルオロエチレン）樹脂等からなるチューブ材に継手を介して分岐させることとしても良いし、ステンレススチール材等からなるパイプを接合することで枝分かれ形状を形成しても良い。
【００５３】
配管４８の各噴出端に装着される噴出抑制素子４９は、使用するパージガスに対して所要の噴出抑制機能を有する種々の素材で実現でき、好適には、多孔質の材料で構成できる。たとえば、ＰＴＦＥ微粒子結合複合部材や焼結金属、焼結ガラス、連続気泡ガラス、積層濾材、または中空糸膜を濾材として具えるエアフィルタ部材で実現できる。多孔質の噴出抑制素子４９の場合、噴出抑制素子４９内の狭い間隙、ないし細かい孔を不活性ガスが通り抜けることで不活性ガスの流速が低減され、不活性ガスの噴出方向が広範囲に広がり、不活性ガスがパージプレート４１内に均一に供給されることとなる。さらに、配管を流通する際に不活性ガスに混入した塵埃の除去も多孔質の噴出抑制素子４９により可能となる。多孔性噴出抑制素子４９の場合、噴出抑制に多孔質という、微細構造を利用するので、所要の噴出抑制能力をもつ噴出抑制素子をコンパクトに実現できる。
【００５４】
好適には、パージプレート４１のキャリア開放部に対向する面には、パージガス（不活性ガス）の流出面を有する整流板５０が取り付けられる。整流板５０はパージプレート４１の保護カバーを構成し、その流出面には、パージプレート４１の外部にパージガスを放出するために、縦横に多数の開口又は孔を配置した２次元孔アレイないし孔メッシュが形成されている。孔メッシュの各孔は、パージガスの流れの方向を規制する整流機能を有する。具体例として、整流板５０は打ち抜き孔が２次元的に一様に配置されたパンチングプレートで構成できる。パージプレート４１や支柱４７及び保護カバー５０の材質は、物性やコストの面からステンレス材とすることが望ましいが、ＰＴＦＥ材等の樹脂材を使用することとしても良い。この構成により、パージプレート４１に送られてきた不活性ガスは、噴出抑制素子４９によってパージプレート４１内部に充満し、整流板５０の孔メッシュを通して広範囲にかつ均等にキャリア１６内部に層流として流入させることとなる。
【００５５】
また、噴出抑制素子４９としては、上記のエアフィルタ部材以外にも連続気泡発泡樹脂やステンレスワイヤメッシュ、焼結金属やセラミック多孔体といった多孔質材料であって、素材自体に汚染物質が無く、塵を発生しない素材が使用可能である。図７では、噴出抑制素子４９は、配管４８の各噴出端に個別に装着される多孔質素子で構成した。代替形態として、図８にあるように、パージプレート４１と整流板５０（保護カバー）の間に装着される平板状の多孔質噴出抑制素子４９（すなわち多孔質シート）で構成してもよい（この場合、配管４８の各噴出端には個別の噴出抑制素子４９を設ける必要はない）。平板状の多孔質噴出抑制素子４９に加えて、パージプレート４１内から噴出される不活性ガスの噴出方向をメッシュ状の細孔で規制（整流）し、層流としてキャリア１６内部に流入させるための補強整流板７９を噴出抑制素子４９（多孔質シート）とパージプレート４１の間に配置しておけば、整流のみならず多孔質噴出抑制素子４９の補強としての効果もある。
【００５６】
次に、パージプレート４１を昇降移動させるパージプレート昇汞機構４２について図５を参照して説明する。パージプレート昇汞機構４２は駆動源であるモータ５１と、モータ５１の回転に連動して回転し、支柱４７が取り付けられているブラケット５２を上下方向に移動させる送りネジ５３、及びブラケット５２の昇降動作を案内するガイドレール５４を具えている。モータ５１の回転に連動して送りネジ５３が回転し、その回転により送りネジ５３の移動子に取り付けられたブラケット５２が、モータ５１の回転角度に応じて所定量昇降動作する。
【００５７】
これにより、上記作動位置（雰囲気置換位置）と上記待機位置（収納位置）との間で、パージプレート４１を往復移動（昇降）させることが可能となる。なお、本実施例では昇降機構としてモータ５１と送りネジ５３を用いているが、これに代えて、任意の適当な機械的往復移動機構たとえば、エアシリンダや油圧シリンダ、或いはカムリンク機構を用いることが可能である。さらに、本実施例では、パージプレート４１を非動作時はパージポート開口部４４の下部に収納し、パージ動作に際して雰囲気置換位置まで上昇させるようにして、パージプレート４１を上下に往復移動させるように設計している。これは、省スペースで実現でき、既存のロードポートとの互換性を確保しやすい点で好ましい形態であるが、所望であれば、これに代えて、パージポート開口部４４の上部または側部に収納することとし、駆動機構によってパージプレート４１を進出位置と後退位置との間で往復移動させる形態を採ることとしても良い。
【００５８】
パージ動作に必要な制御（各駆動機構の往復移動動作や不活性ガスの流量や供給時間、供給タイミングの制御を含む）を行う制御部４６は、パージポート４０の本体内部の制御ＢＯＸ７０（図１２）内に具えられている。不活性ガスは図１２に示すようにパージポート４０外部から制御部内に供給経路を介して供給され、パージプレート４１へと導入される。
【００５９】
パージプレート４１に導入される不活性ガスは、雰囲気置換装置であるパージポート４０が設置されている工場設備から供給されることとしても良いし、パージポート４０内に不活性ガスを貯留した容器を具えることとしても良い。工場設備もしくは貯留した容器を供給源６９とするパージガス（不活性ガス）は、供給経路を経て制御ＢＯＸ７０内に導入され、制御ＢＯＸ７０内に具えられた圧力調節器７１、圧力サンサ７２、電磁弁７３を介した後、パージプレート４１へと導入される構成となっている。圧力調節器７１は供給源の変動する圧力に対し、出口側の圧力を一定に調節するものであり、圧力センサ７２は圧力調節器７１の出口側から送られてくる不活性ガスの圧力を測定しており、予め設定された上限と下限の閾値に対して高圧若しくは低圧状態になった場合、アラーム信号を制御部４６に送信する働きをしている。
【００６０】
電磁弁７３は制御部４６より送られてくる入力信号によって不活性ガスの流通する弁の開閉を行うもので、制御部４６内に具えられた記憶装置に予め記憶させた手順に従って、所定のタイミングで所定の時間だけ不活性ガスの供給を行うことが可能となっている。また、電磁弁７３からパージプレート４１への各々の供給経路にはニードル弁７４が具えられており、不活性ガスの流量の正確な調整が可能である。この構成により、供給経路を経て制御ＢＯＸ７０内に導入された不活性ガスは所定の圧力と流量に制御された後、所定のタイミングで所定の時間だけ不活性ガスのパージプレート４１へ供給される。
【００６１】
なお、不活性ガスの供給時間は、試験によって予め好適な時間を割り出しておき、制御部４６に具えられたタイマーにより供給開始と供給停止の制御を行うこと（タイマー方式）としても良いし、代替として、パージポート４０の好適な場所に不活性ガス濃度を検知するセンサを設置しておき、ＦＯＵＰ１３内の不活性ガス濃度が規定の数値に達したら供給を停止すること（センサ方式）としても良い。さらに、センサはパージガスとして使用する不活性ガスの濃度を測定するものとしても良いが、代替として、比較的安価な酸素濃度を測定するセンサを使用することでも同様の効果を得ることが可能である。なお、酸素濃度センサを使用する場合は、ＦＯＵＰ１３内の酸素濃度が規定の数値以下になったら、パージガスの供給を停止するように制御する。
【００６２】
キャリア１６内部に不活性ガスを流入させるために、配管４８から直にキャリア１６内に不活性ガスを供給する雰囲気置換装置の場合、不活性ガスの流速を上げれば、キャリア１６内部に流入する不活性ガスの量も増加し、短時間での雰囲気置換が可能と期待されていた。しかし、実際には、キャリア１６内に収納したウエハ１５の裏面に付着している塵埃、キャリア１６内に堆積している塵埃が不活性ガスの噴射力により吹き飛ばされてしまい、その吹き飛ばされた塵埃の粒子がウエハ１５の処理面に衝突して、処理面を傷つけてしまう現象（攪拌現象）が本願発明者により確認された。
【００６３】
また、流速の大きい不活性ガス流がキャリア１６内の壁面に衝突した後外部に流出してしまったり、外部からの空気を巻き込んでしまったりして、キャリア１６内の不活性ガス濃度が上がらないという不具合を起こす可能性もある。逆に、不活性ガスの流速を下げると、塵埃の飛散や不活性ガスの流出といった不具合は低減されるが、流量も減少してしまうこととなり、その結果雰囲気置換に多大な時間を要してしまうこととなり、雰囲気置換が終了するまでにウエハ１６表面の酸化が進行し歩留まりの低下を招いてしまうこと（酸化現象）も本願発明者により確認された。さらに、上記の攪拌現象、酸化現象は、不活性ガスの流速を高速化して吹き出す流体素子であるノズルを用いて、不活性ガスをキャリア１６内に吹きいれる従来の雰囲気置換装置で顕著であることが確認された。本願発明によれば、パージポート（雰囲気置換装置）に非ノズル型のパージプレートを設け、このパージプレートにより、層流でスローなパージガスフローを実現している。このような新規なパージプレート付きの雰囲気置換装置によれば、上記攪拌現象、酸化現象は十分に抑制できることが本願発明者により見いだされた。
【００６４】
たとえば、好適な実施例に係るパージプレート４１において、パージガス配管４８は多数の枝分かれ配管で構成して、一つの導入端（配管入口）から導入された不活性ガスが、複数の噴出端（配管出口）に分散させる。そして、各噴出端の先端にディスクリートな多孔質噴出抑制素子４９を設けるか（図７）、あるいは、複数の噴出端をすべてカバーするシート状の多孔質噴出抑制素子４９を配置する（図８）。さらに、孔メッシュが形成された整流板５０に通して、不活性ガスをキャリア１６の開放面１６１に向けて流し込んでいる。このようにして、パージプレート４１により、攪拌現象を抑止してキャリア１６内に滞留する塵埃の飛散を防止する。また、所定時間内で雰囲気置換に必要な量の不活性ガスを一様なプラナー層流ガス発生プレートであるパージプレート４１からキャリア内に供給することで短時間のパージング（雰囲気置換）を実現し、基板表面（ウエハ表面）の酸化現象を抑制している。
【００６５】
好適な実施例のパージング動作において、パージプレート４１内部に放散させられた不活性ガスはメッシュ孔ないし２次元アレイ孔を有する整流板５０により整流され、キャリア１６の開口面１６１に対して略均等な流速を有する層流となってキャリア１６内部へと供給されることとなる。キャリア１６内部へ供給された不活性ガスは、内部に収納されたウエハ１５の隙間を通って徐々にキャリア１６内部へ流入し、それによってウエハ１５の表面に滞留していた汚染物質や内部に充満していた清浄空気は、不活性ガスに押し出されるようにキャリア１６のフランジ部分２６周縁から外部へと排出されることとなり、キャリア１６内部の雰囲気置換が進行していく（図９参照）。
【００６６】
なお、雰囲気置換位置において、パージプレート４１は、パージポート開口部４４に対して中央に配置されること（したがって、キャリア１６の開放面１６１の縦中心線がパージプレート４１の縦中心線と一致する配置関係）が、不活性ガスに押し出されたキャリア１６内部の清浄空気が均等にパージポート開口部４４周縁から外部へと排出されることとなり望ましい。しかし、パージプレート４１をパージポート開口部４４の非中央部に配置したとしても、流量、流速を調整することで、同様に攪拌が抑制されて、不活性ガス押出し効果が得られる。
【００６７】
前述のように、パージプレート４１からキャリア１６の開放面１６１に向けて不活性ガスが層流で流れるようにするためには、パージガス出力プレートである整流板５０は、開放面１６１に対して一定の割合の不活性ガス流出面を有することが好ましい。図７は多数の円形穴を有する板材（丸穴形パンチングプレート）による流出面、図８は網板材（角穴型パンチングプレート）による流出面である。パージプレートに占める流出面の面積比率は、適度な大きさを有することが好ましい。整流板５０の横方向の寸法をＡ，縦方向の寸法をＢとし、パージプレートの流出面の横方向の寸法をａ、縦方向の寸法をｂとすると、ａｂ／ＡＢ比（整流板面積に対する流出面面積の比）は５０％以上、１００％以下の範囲とすることが好ましく。また、整流板５０の面積は、キャリア１６の開放面１６１の面積に対して１０％以上６０％以下が好ましく、更に、整流板５０の流出面面積はキャリア１６開口面の面積に対して５％以上、５０％以下が好ましい。
【００６８】
なお、ＦＩＭＳドア１２は、雰囲気置換の際に、ミニエンバイロメント空間ユニット３のファンフィルタユニット５から供給される高清浄空気がキャリア１６内部に流入するのを有効に、調整、抑止する位置に配置されることが好ましく、高清浄空気流入調整／抑止機能により、パージングによるキャリア１６内の不活性ガス濃度を効率よく上昇させることができる。
【００６９】
パージポート４０は、フランジパネル６５を用いて調整された流量の高清浄空気がＦＩＭＳドア１２と内壁４５との隙間を介してパージポート４０を経由して、外部に流出するように構成できる。図９は、このような実施形態において、雰囲気置換を行った場合の不活性ガス、高清浄空気、及びキャリア１６内の空気の流れを示したもので、（ａ）は側面から見た断面図であり（ｂ）は上面から見た断面図である。図９に示すように、パージポート４０には高清浄空気通路１２１が存在する。すなわち、図９において、右隣にあるミニエンバイロメント空間ユニット３（図示せず）から適量の高清浄空気が、ＦＩＭＳドア１２とフランジパネル６５との間に設けられた隙間を通って、装置外部に流出する。このため、不活性ガスの流入により押し出されたキャリア１６内部の空気が、この高清浄空気通路１２１の高清浄空気流に誘引または吸引されて装置外部に排気される。したがって、雰囲気置換中にキャリア１６内部に残留している空気を吸引（排気）するための専用の装置を付加する必要はない。このように、隙間によって形成される高清浄空気通路１２１は、キャリア内部の雰囲気置換を促進する機能を有している。
【００７０】
この雰囲気置換の際、わずかな量の不活性ガスが高清浄空気とともに装置外部に流出することもあるが、装置外部に排出された不活性ガスを含む高清浄空気は工場内に設けられたダウンフローによって即座に床のパンチング孔を通して工場外部へと流出されることとなり人体や他の設備に悪影響を及ぼすことはない。
【００７１】
また、上記パージポート４０の高清浄空気通路１２１により果たされる空気流量調整機能は、ウエハ１５の搬入出時にキャリア１６のフランジ部分２６とパージポート開口部４４周縁とをほぼ隙間なく近接させている既存のロードポートに対しても適用できる。すなわち、ステージ１４に載置されているキャリア１６を微小に後退させる（ミニエンバイロメント空間ユニット３から離れる方向に所定距離、移動させる）ことでフランジ部分２６とパージポート開口部４４周縁に隙間を形成させる（これにより、高清浄空気通路１２１が形成される）機構を設け、形成した隙間からキャリア１６内部の空気を高清浄空気とともに装置外部に流出させることとすれば良い（図９参照）。
【００７２】
所望であれば、不活性ガスを供給するパージプレート４１に加えて、キャリア１６内部の雰囲気を吸引する吸引機構を設けても良い。吸引機構は、例えばキャリア１６の開放面１６１に面する位置で中央部のパージプレート４１の周囲に、またはパージプレート４１をキャリア１６開放面１６１に面し、且つ中央部からずれた位置に配置し、その隣にパージプレート４１と同様の形状を有するものであっても良いし、キャリア１６底部にＳＥＭＩ規格の規定により具えられている吸入口から吸引する形態であっても良い。
【００７３】
次にパージポート４０の動作について図１１を参照しながら詳しく説明していく。
処理装置１内で処理が終了したウエハ１５は、処理終了後、ミニエンバイロメント空間ユニット３内に具えられた搬送ロボット４によってロードポートの機能を兼ね備えたパージポート４０に移される。すなわち、搬送ロボット４によって、パージポート４０（ロードポート）に配置したキャリア１６内の所定の棚１８に搬入される。図１１（ａ）参照。このウエハ移載モードでは、パージプレート４１は後退位置（収納位置）にあり、進出位置に移動するためにパージプレート４１が通る挿通孔６６の上方は、ウエハ移載のため、キャリア１６に占有されている（したがって、パージプレート４１は上昇動作できない）。また、常に、「陽圧」（周辺より高い気圧）のミニエンバイロメント空間ユニット３からパージポート４０の隙間（フランジ部分２６とフランジパネル６５の間）を通って、装置１外部へ適量の高清浄空気が流出しているので、装置１内部及びキャリア１６内部が装置１外部の低清浄空気に汚染されることは無い。なお、図１１（ａ）に示すＦＯＵＰへのウエハ移載モードにおいて、ＦＩＭＳドア１７はＦＯＵＰカバー１７を装着した一体化形態となっており、パージポート開口部４４の下方位置（後退位置）に退避している。
【００７４】
搬送ロボット４によるウエハ搬送が終了すると、ステージ駆動機構２９がキャリア１６を載置したステージ１４をパージポート開口部４４から遠ざかる方向（すなわち、ミニエンバイロメント空間ユニット３から遠ざかる方向）に、微小後退させる。このステージ１４の後退動作に連動して、ＦＩＭＳドア１２（このとき、ＦＯＵＰカバー１７を装着した一体化状態にある）が、ＦＩＭＳドア昇汞機構５５により、キャリア１６の開放面１６１に対応した高さ（進出位置）まで上昇する。このようにしてキャリア１６の開放面１６１と（ＦＩＭＳドア１２に装着された）ＦＯＵＰカバー１７との間にスペース（パージプレート４１の作動エリア）が確保される。図１１（ｂ）参照。尚、このパージポート４０のステージ１４が行う微小な後退動作による移動は、パージポート４０による雰囲気置換が効率良く行われる位置までキャリア１６を移動させるという目的を兼ねている。
【００７５】
また、ステージ１４は微小移動で後退することになるが、キャリア１６周縁に設けられたフランジ部分２６とパージポート開口部４４の周縁に設けられた内壁４５との間には５ｍｍ程度の隙間があり、ミニエンバイロメント空間ユニット３内部の高清浄空気がその隙間を通って処理装置外部に流出することで、装置外部からのミニエンバイロメント空間ユニット３内部への低清浄空気の流入を防いでいる。
【００７６】
その後、パージプレート４１がパージプレート昇汞機構４２によりキャリア１６の開放面に対する所定の位置（作動位置）まで上昇し、キャリア１６内部への不活性ガスの供給が可能となる。図１１（ｃ）参照。作動位置において、パージプレート４１はＦＯＵＰキャリア１６とＦＩＭＳドア１２との間に位置し、上述したように（図９参照）、ＦＯＵＰキャリア１６に向けてスローで層流のパージガスを発生して送り込み、ＦＯＵＰパージング（雰囲気置換操作）を実施する。
【００７７】
作動位置でのＦＯＵＰパージングが完了すると（たとえば、キャリア１６内部への不活性ガスの供給が所定の時間行われたら）、パージプレート４１はパージプレート昇汞機構４２により元の待機位置まで移動させられる。図１１（ｄ）参照。なお、パージプレート４１が所定の待機位置（後退位置）まで下降させられる間も不活性ガスを供給し続けることとしておけば、ＦＯＵＰ１３のパージングに必要な全時間を短縮でき、また、キャリア１６内の不活性ガスの濃度低下を抑えることができ、好ましい。この目的のため、代替または組み合わせとして、後述する補助ノズル６８（図５）を用いて、そこからこのパージプレート下降モードの間、不活性ガスを補給するようにしてもよい。
【００７８】
パージプレート４１が下降を終了したら、ステージ１４上のキャリア１６がＦＯＵＰカバー１７とドッキングする位置までステージ１４を前進させる。図１１（ｅ）参照。このドッキング位置で、ＦＩＭＳドア１２は装着していたＦＯＵＰカバー１７を離脱させ、内部に具えられたラッチキー２３ｂによりキャリア１６をカバー１７でロックしてＦＯＵＰ１３を密閉状態にする。その後、ステージ１４はＦＯＵＰ搬送ロボット、またはＯＨＴとの受け渡し位置まで後退動作を行うことで、パージポート４０の全ての動作（ローディングおよびパージングのシーケンス）が完了する。図１１（ｆ）参照。  
【００７９】
さらに、処理装置１の種類やプロセスの種類によってはファンフィルタユニット５に具えられたファン８の回転数を上げることで、ミニエンバイロメント空間ユニット３内部の内圧を高くし、清浄度を上げようとするものもある。そういった処理装置の環境下でパージポート４０を使用する場合、雰囲気置換の際にＦＩＭＳドア１２キャリア１６端部のフランジ部分２６の隙間から強風（高速）の高清浄空気がパージプレート４１周辺に流れ込んでしまい、その高清浄空気の流れに影響されて不活性ガスの層流が乱され、雰囲気置換が十分に行われない可能性がある。これは、雰囲気置換装置の上記隙間を小さく調整してそこから流入する高清浄空気の量を適量に調整する機構を設けることで防止できる。あるいは、上記の隙間調整型の高清浄空気量調整機構に代えて、ミニエンバイロメント空間ユニット３との流体遮蔽性を高めた以下のシール機構を使用することができる。
【００８０】
具体的には、ＦＩＭＳドア１２周縁のミニエンバイロメント空間ユニット３に面する側に、ＦＩＭＳドア１２とフランジパネル６５との間の隙間を非接触で遮蔽するように形成された、ラビリンスシール構造を有するシールドカバー６７ａもしくはシールドカバー６７ｂを取り付けることで可能となる。図１４（ａ）は、ＦＩＭＳドア１２にシールドカバー６７ａを取り付けた具体例を示した斜視図で、ＦＩＭＳドア１２のキャリア１６側からみて左上方部分を欠いた一部切り欠図である。
【００８１】
シールドカバー６７ａのキャリア１６に面した端部はＵ字型のラビリンス構造を形成しており、フランジパネル６５の開放面側周縁部と非接触で嵌合することで、雰囲気置換の際のキャリア１６内へのミニエンバイロメント空間ユニット３内からの高清浄空気の浸入を遮断している。また、ＦＩＭＳドア１２の周縁にマッピングセンサ３２が取り付けられる構成形態では、通常、キャリア１６内部に向かって前進後退動作をさせるためのセンサ取付部３３が配置されているので、シールドカバー６７ａを設ける場合はセンサ取付部３３の動作を干渉しない形状とするため６７ａにセンサ出没穴を設けるが、これはなるべく小さな穴とするか、センシングしない場合は蓋をするなどの設計が望ましい。
【００８２】
さらに、シールドカバー６７ａを取り付けるＦＩＭＳドア１２はＦＩＭＳドア昇汞機構５５によって鉛直方向に昇降可能となっているので、ＦＩＭＳドア１２に取り付けられているシールドカバー６７ａと内壁のフランジカバー６５とが相対する端部については、一方の端部を凹部にし、対応するもう一方の端部を凸部とする互いに非接触のラビリンス構造とすることが好ましい。これにより、ＦＩＭＳドア１２とシールドカバー６７ａは動作可能となっている。また、凹部と凸部を互いに非接触としたラビリンスシール構造とすることで塵埃の発生する可能性が全くなく、キャリア１６内部の清浄度も維持できることとなる。
【００８３】
さらに、ＦＩＭＳドア駆動機構４３により、ＦＩＭＳドア１２をガイドレール６２に沿ってガイドし、キャリア１６に対し、ガイドレール６２の規定範囲内で離間する方向と接近する方向に、移動自在な構成（図１０参照）とする場合には、図１３及び図１４（ｂ）に示すようなシールドカバー６７ｂを設けることで図１４（ａ）に示した具体例と同様の効果が得られる。
【００８４】
ここで、ＦＩＭＳドア駆動機構４３について図１０を参照し説明する。ＦＩＭＳドア駆動機構４３はＦＩＭＳドア昇汞機構５５に具えられた送りネジ機構５６の移動子５７に固定され、ＦＩＭＳドア昇汞機構５５によって昇降移動させられるベース部材５８と、ベース部材５８に取り付けられ、ＦＩＭＳドア１２を前進後退させる駆動源であるモータ６０、モータ６０の回転に連動して回転し、移動子６３に固定されたＦＩＭＳドア１２を前進後退させる送りネジ６１、ＦＩＭＳドア１２の移動を案内するガイドレール６２から成っている。
【００８５】
また、ガイドレール６２は、ベース部材５８の左右両端に固定されたブラケット６４に取り付けられている。他にも、ブラケット６４にはセンサ取付部３３が回動可能に取り付けられており、センサ駆動機構３４の動作により、マッピングセンサ３２のキャリア１６内への移動を可能にしている。なお、図１０の具体例ではＦＩＭＳドアの駆動機構４３としてモータ６０送りネジ６１を用いているが、これに代えて他の種類の駆動機構、たとえばエアシリンダや油圧シリンダ、或いはカムリンク機構を用いることとしても良い。
【００８６】
図１３はシールド構造を有するＦＩＭＳドア１２周辺をミニエンバイロメント空間ユニット３側から見た斜視図であり、図１４（ｂ）はそのシールド構造を示した斜視図で、ＦＩＭＳドア１２のキャリア１６側から見た正面視左上方部分を欠いた一部切り欠き図である。シールドカバー６７ｂはＦＩＭＳドア１２の両端に具えられているブラケット６４に固定されており、フランジパネル６５の開放面に対応した門型の開口形状を有しており、その開放面内はＦＩＭＳドア１２及びウエハ搬送ロボット４により搬送されるウエハ１５が十分通行可能な面積を有している。また、ブラケット６４には、センサ取付部３３が回転自在に配置されており、このセンサ取付部３３に取り付けられたマッピングセンサ３２がキャリア１６内部に向かって前進後退してウエハマッピングを遂行できるようになっている。このため、シールドカバー６７ｂは、センサ取付部３３の回転動作に干渉しない取付け位置及び形状を持つように配慮する。
【００８７】
また、シールドカバー６７ｂを取り付けるブラケット６４はＦＩＭＳドア昇汞機構５５によって鉛直方向に昇降可能となっているので、シールドカバー６７ｂとフランジカバー６５との相対する端部については、シールドカバー６７ａを設けた場合と同様に、一方の端部を凹部（コの字型）にし対応するもう一方の端部を凸部とする互いに非接触のラビリンス構造とすることで、ブラケット６４とシールドカバー６７ｂは動作可能となり、また凹部と凸部を互いに非接触とすることで塵埃の発生は全くなく、キャリア１６内部の清浄度も維持できることとなる。
【００８８】
さらに、図１３に示すように、ＦＩＭＳドア１２はＦＩＭＳドア駆動機構４３によりガイドレール６２が案内する範囲内を移動可能となっているので、ＦＩＭＳドア１２がキャリア１６に対して最も離間した位置に到達した際、ＦＩＭＳドア１２の周縁とシールドカバー６７ｂの端部が非接触嵌合することで、ＦＩＭＳドア１２とシールドカバー６７ｂとの間の隙間が遮蔽されることとなり（最も深いラビリンスシール状態の確保）、陽圧のミニエンバイロメント空間ユニット３内の高清浄空気が装置外部に少量流出することで外部の空気の侵入を防止している。
【００８９】
加えて、ＦＩＭＳドア１２がガイドレール６２によって案内される動作範囲内を移動することによって、ＦＩＭＳドア１２とシールドカバー６７ｂとの隙間の開口量を変化させる（ラビリンスシール状態の深さを変える）こととなり、ＦＩＭＳドア１２の位置に依存してミニエンバイロメント空間ユニット３内からの高清浄空気の流入量を調節することができる。
【００９０】
図１４（ｂ）はカバー１７と一体化されたＦＩＭＳドア１２がガイドレール６２上の中間位置にある時点を表した図で、この図を元に説明する。外気に比べ高圧に維持されたミニエンバイロメント空間ユニット３内の高清浄空気はＦＩＭＳドア１２とシールドカバー６７ｂの間から、キャリア１６縁部とフランジパネル６５の間に設けられた隙間を通って装置外部に流出する際に、キャリア１６内にある高清浄な空気も誘引して流出することとなり、雰囲気置換の効率を上げる効果がある。この構造により、処理装置１の都合によりファンフィルタユニット５の回転数を変更しミニエンバイロメント空間ユニット３内の内圧を変更することになったとしても、最適な高清浄空気の流出量を容易に求めることが出来ることとなり、従来行っていた、内圧の変更に伴う改造を行う必要がなくなる。
【００９１】
さらに、ＦＩＭＳドア１２を前後に移動可能とすることで、キャリア１６とＦＩＭＳドア１２の間に位置するパージプレート４１のキャリア１６開放面に対する位置設定に自由度が増し、最適の不活性ガス供給量とパージプレート位置、最適のパージプレート面積とパージプレート位置など条件探索できる効果がある。
【００９２】
なお、半導体製造装置全般に対する標準規格であるＳＥＭＩ規格には、ミニエンバイロメント空間ユニット３を形成する壁面からの突出部分は１００ｍｍ以内とするという規定があるが、本実施例において、シールドカバー６７ａ及び６７ｂのミニエンバイロメント空間ユニット３側への突出量は１００ｍｍ以内であり、ＳＥＭＩ規格に準拠したものとなっている。
【００９３】
ところで、パージプレート４１による不活性ガスの供給が完了した後、キャリア１６の開放面１６１がカバー１７により密閉されることで全ての雰囲気置換動作は終了となるが、パージプレート４１による不活性ガスの供給終了からカバー１７によるキャリア１６の開放面の密閉が完了した後、キャリア１６内の酸素濃度が増加する現象（キャリア１６内の不活性ガスの濃度が低下することを意味する）が発生する。これは、パージプレート４１からのパージガス流消滅に伴う過渡的なパージガス濃度低下現象である。これは、雰囲気置換終了後、装置外部に流出されず残留していた空気がキャリア１６全体に拡散したことで結果的に内部全体の不活性ガス濃度を下げてしまっていることと、雰囲気置換終了後、キャリア１６の開放面が密閉されるまでの僅かな時間に、キャリア１６周辺の空気がキャリア１６内に入りこんでしまう為と考えられる。パージプレート４１によるパージングの時間が短すぎる場合に、この過渡的なパージガス濃度低下現象は、密閉操作後に、（キャリア１６内の不活性ガス濃度の平均値は実質、変動しないが）、キャリア１６内の中央部にある不活性ガスの濃度は、安定する前に規定値以下にまで減少する。
【００９４】
このようなパージガス濃度低下を抑制するため、上記実施例の雰囲気置換構成に、図５に示すような補助ノズル６８を追加することができる。補助ノズル６８は、パージポート開口部４４周縁に具えられた内壁４５に設けられる。そして、パージプレート４１が所定の待機位置（収納位置）への移動を始めた時点（下降開始時）からキャリア１６がカバー１７によって密閉されるまでの間、補助ノズル６８からキャリア１６とカバー１７との間に向かって不活性ガスを供給する。補助ノズル６８からのパージガス流供給は上記パージプレート４１からのパージガス流消滅を補償するように機能する。また、補助ノズル６８からのパージガス流供給は、パージポート４０が所要の雰囲気置換を達成するのに必要なトータルのパージングタイムを短縮する働きがある。
【００９５】
このようにして、不活性ガスがキャリア１６とカバー１７と内壁４５ａ、４５ｂ、４５ｃに囲まれた空間内に充満することで空気がキャリア１６内部に入り込むのを防止できる。また、補助ノズル６８からの不活性ガス補給により、キャリア１６周辺の不活性ガス濃度が確保され、カバー１７の閉扉後、キャリア１６内部の不活性ガス濃度が基準値以下に低下する現象を抑制することができる。
【００９６】
この補助ノズル６８はパージポート開口部４４周縁のどの内壁４５ａ−ｄに設けても良い。補助ノズル６８から放出される不活性ガスの流速を速くし過ぎると、キャリア１６が周辺の空気を巻き込んでしまい十分な不活性ガス濃度が達成困難になる。したがって、補助ノズル６８から補給する不活性ガスの流速は、パージプレート４１から供給される不活性ガスの流速とほぼ同等であるのが好ましい。ここで、補助ノズル６８不活性ガス流出口の形状は、パージポート開口部４４の内壁４５の一辺とほぼ同じ長さのスリット状であることが好ましい。
【００９７】
また上記に加えて、補助ノズル６８はカバー１７の開扉動作の際に不活性ガス若しくは高清浄空気といった無塵ガスを供給することで、ＦＯＵＰ１３内部を高清浄雰囲気に維持することも可能である。すなわち、ＦＯＵＰ１３が開扉された後ステージ駆動機構２９による前進動作が完了するまでの間、ＦＩＭＳドア１２はＦＩＭＳドア駆動機構４３によりキャリア１６に対して離間する方向に移動するが、この際、ＦＩＭＳドア１２が離間する方向に移動するに従って、ＦＩＭＳドア１２とシールドカバー６７ｂとの隙間が徐々に小さくなり、それに従って装置外部に流出する高清浄空気の流量も少なくなっていく。
【００９８】
その結果、装置外部の低清浄な空気がキャリア１６のフランジ部分２６と内壁４５との隙間を通ってキャリア１６内部に浸入してしまい、キャリア１６内部を塵埃で汚染してしまう可能性がある。そこで、ＦＯＵＰ１３が開扉された後、ステージ駆動機構２９による前進動作が完了するまでの間、補助ノズル６８からキャリア１６開放面とカバー１７の間に無塵ガスを流出させることで、低清浄な空気がキャリア１６内部に浸入することが防止される。
【００９９】
次に、上記の実施例を具えたパージポート４０による雰囲気置換試験の結果を開示する。図１５に示すように、試験は実際の処理装置１と同じミニエンバイロメント空間ユニット３を形成する試験用のクリーンブース（試験用ミニエンバイロメント空間ユニット３）にパージポート４０を設置し、そのパージポート４０に載置された試験用ＦＯＵＰ１３内部の酸素濃度を測定した。酸素濃度計７８としては、東レエンジニアリング株式会社製ジルコニア式酸素濃度計ＬＣ−４５０Ａを使用した。雰囲気置換に使用する不活性ガスは、一般的に最も雰囲気置換に使用されている純度９９．９９パーセント以上の窒素ガスを供給源６９であるボンベから供給経路を介してパージポート４０に導入した。
【０１００】
窒素濃度ではなく酸素濃度を測定した理由は、窒素濃度測定器に比べ酸素濃度測定器が安価で容易に入手できるという点と、雰囲気置換に使用される不活性ガスは窒素に限らないからであり、酸素濃度を測定することで試験用ＦＯＵＰ１３内部の雰囲気置換の進捗度合いを推し量ることが可能だからである。また、本酸素濃度測定器ＬＣ−４５０Ａは露点で表示される湿度も測定でき、不活性ガスとして乾燥空気を用いる場合でも使用できる。試験用ＦＯＵＰ１３は通常用いられるＦＯＵＰと同じくキャリア１６とカバー１７から構成されていて、キャリア１６にはウエハ１５を載置する棚が２５段具えられているが、内部雰囲気を採取するためのチューブ７９を挿通させるための挿通穴が開けられているのが通常のＦＯＵＰとは異なる部分である。
【０１０１】
試験では２５段の全ての棚にウエハを載置して、試験用ＦＯＵＰ１３内部の酸素濃度測定位置は雰囲気置換時のパージプレート４１から見て奥側の、１４段目の棚付近とした。酸素濃度測定器７８は、図１５にあるように内部に具えられた吸引ポンプがチューブ７９を介して試験用ＦＯＵＰ１３内部の雰囲気を吸引し、内部に具えられた検出手段によりその吸引した雰囲気の酸素濃度を測定した。
【０１０２】
まず第１の試験として、雰囲気置換を行う上で試験用ミニエンバイロメント空間ユニット３内部と外部環境との差圧はどの程度が好ましいかを試験してみた。試験用ミニエンバイロメント空間ユニット３の内部圧力は、高清浄空気を送り込むファンフィルタユニット５に具えられたファン８の回転数を増減させることで調節している。なお、ミニエンバイロメント空間ユニット３内部を高清浄に保つという理由から、一般に、外部環境に対してミニエンバイロメント空間ユニット３内部は陽圧に保たれるため、外部環境に対する差圧が負圧である場合の試験は行っていない。また、窒素ガスの供給はパージプレート４１からのみで行い、補助ノズル６８による供給は行っていない。試験用ＦＯＵＰ１３内部の酸素濃度は、内部に載置されたウエハ表面の酸化を防止するという観点から、１００ｐｐｍ（０．０１％）以下を目標値とした。
【０１０３】
試験は、試験用ミニエンバイロメント空間ユニット３の内外差圧を３．５Ｐａと２．５Ｐａとに設定し、それぞれの環境に窒素ガスの流量を毎分１２０リットルで１１０秒供給した時と、毎分１５０リットルで８０秒供給した時の、酸素濃度の変化を調べた。
【０１０４】
図１６がその試験結果を表したグラフである。縦軸を酸素濃度（ｐｐｍ）、横軸を経過時間（秒）とし、パージプレート４１からキャリア１６内部に窒素ガスの供給を開始した時点を０としている。窒素ガスの供給が停止されてキャリア１６の内部雰囲気がカバー１７によって完全に密閉されるまでの時間は約１秒必要であるから、供給開始から８１秒、若しくは１１１秒以降は密閉された試験用ＦＯＵＰ１３内部の酸素濃度の推移を表していることとなる。
【０１０５】
内外差圧３．５Ｐａの環境で毎分１２０リットルの流量の窒素ガスを１１０秒供給した場合、窒素ガスの供給開始から１１１秒後の試験用ＦＯＵＰ１３が密閉された時点での酸素濃度は１０ｐｐｍまで低下し、供給開始から１８０秒後（密閉後６９秒）の時点で４７．２ｐｐｍに上昇しているが、目標値の１００ｐｐｍ以下を維持しておりほぼ安定している。また、内外差圧３．５Ｐａで流量が毎分１５０リットルの窒素ガスを８０秒供給した場合は、供給開始から８１秒後で酸素濃度は８．９ｐｐｍまで下がるが、供給開始から１８０秒経過した時点で２６２ｐｐｍまで上昇している。この結果から見ると、不活性ガスの流量と供給時間を調節すれば、内外差圧４Ｐａの陽圧までは上げることが可能である。
【０１０６】
窒素ガスの供給が終了し、試験用ＦＯＵＰ１３の密閉完了後、どの条件でも酸素濃度の上昇が見られるが、差圧が高いほど酸素濃度の上昇率も大きいことがわかる。これは窒素ガスの供給終了後、パージプレート４１が待機位置に下降する際、試験用ミニエンバイロメント空間ユニット３から外部に流出する高清浄空気の一部がキャリア１６上部からキャリア１６内部に流れ込み、密閉完了後も試験用ＦＯＵＰ１３内の全体に拡散していることが原因と考えられる。
【０１０７】
また、窒素ガスの供給停止直後の酸素濃度には大きな差は見られず、どの差圧環境でも１０ｐｐｍ程度で目標値を十分満たしているが、差圧３．５Ｐａの環境で毎分１５０リットルの窒素ガスを８０秒供給した試験では、密閉後の酸素濃度の上昇が大きく、窒素ガスの供給開始から１５０秒（密閉後６９秒）の時点で２００ｐｐｍ、供給開始から１８０秒（密閉後９９秒）の時点で２５９ｐｐｍであった。また、内外差圧２．５Ｐａの環境であれば、１８０秒経過時点での酸素濃度は６２．７ｐｐｍと３０．８ｐｐｍであり、目標値を十分満たす結果が得られている。
【０１０８】
次に、窒素ガスの流量と供給時間を一定にした状態で、試験用ミニエンバイロメント空間ユニット３の内外差圧が試験用ＦＯＵＰ１３密閉後の酸素濃度にどの程度影響するかの試験を行った。試験は試験用ミニエンバイロメント空間ユニット３の内外差圧を０Ｐａ、１．０Ｐａ、２．５Ｐａ、および３．５Ｐａに設定し、それぞれの内外差圧について、流量毎分１５０リットルの窒素ガスを１１０秒間供給した後、密閉された試験用ＦＯＵＰ１３内部の酸素濃度の推移を測定することとした。その結果が図１７である。
【０１０９】
試験の結果、試験用ミニエンバイロメント空間ユニット３の内外差圧が低ければ低いほど、密閉後の試験用ＦＯＵＰ１３内部の酸素濃度上昇は抑えられることがわかる。供給開始から１８０秒経過時点での酸素濃度値は、３．５Ｐａで１５２ｐｐｍとなっており、前述の流量１２０リットルでの試験と比べても酸素濃度の上昇は抑えられていることがわかる。さらに低い差圧１．０Ｐａでの酸素濃度は、供給開始から１８０秒経過時点での酸素濃度値は２８．９ｐｐｍまで抑えられている。酸素濃度の上昇量は前述した３．５Ｐａでの試験の数値と比較して、差圧２．５Ｐａで４分の１以下、差圧１．０Ｐａだと１０分の１以下にまで抑えられる結果となった。
【０１１０】
図１７での差圧０Ｐａのグラフは、ファンフィルタユニット５を停止して試験用ミニエンバイロメント空間ユニット３の内外差圧をゼロにした場合のものである。窒素ガス供給開始から１１０秒後には酸素濃度４．６ｐｐｍまで下がり、１８０秒後でも９．１ｐｐｍを維持していて、徐々には上昇しているがほぼ安定している。従って、最低のミニエンバイロメント内外差圧はゼロＰａで良いことが解った。
【０１１１】
ただし、半導体工場などで稼働される実際の処理装置１の場合、ミニエンバイロメント空間ユニット３内部では搬送ロボット４がウエハ１５を搬送しており清浄度を維持する必要があるので、ファンフィルタユニット５からの高清浄空気の供給はこの種の処理装置１にとって必要である。上記のように、図面に示した特定実施例のパージポート４０（雰囲気置換装置）は、隙間を介して外部と流体（気体）連通している。そこで、このような環境に実施例のパージポート４０（雰囲気置換装置）を適用する場合には、ミニエンバイロメント空間ユニット３の内外差圧は下限を０．１Ｐａとし、望ましくは差圧１．０Ｐａ付近から、上限４Ｐａ程度となる。すなわち、隙間流体（気体）連通型のパージポート４０を実際の処理装置１に適用する場合、処理装置１における実用上安定した清浄度を維持しつつ、パージポート４０による効率の良い雰囲気置換の可能となる差圧（ミニエンバイロメント空間ユニット３の内外差圧）はこの範囲となる。望ましくは差圧を０．５Ｐａ以上、２．５ｐａ以下とした環境での運用とすることで、図示の特定実施例に係るパージポート４０は、最長でも１８０秒または１８０秒程度の雰囲気置換操作時間により、ＦＯＵＰ１３内の酸素濃度１００ｐｐｍ以下（ウエハの酸化を十分に抑制できる雰囲気置換がなされたことを意味する濃度目標値）を確実に達成できる。
以上のように、図示の特定実施例に係るパージポート４０（雰囲気置換装置）は、外部環境との間で、隙間を通じて気体（高清浄度空気、低清浄度空気）が、制限された量ではあるが、連通した構造である。特に、図示の特定実施例に係るパージポート４０（雰囲気置換装置）は、高清浄度空気ユニット３の状態（たとえば、その陽圧）に性能が依存する。しかしながら、高清浄度空気ユニット３が特定の図示実施例に係るパージポート４０（雰囲気置換装置）のコンポーネントを構成していないことは明らかである。したがって、高清浄度空気ユニット３自体は、本発明の一部を構成しないと解されるべきである。
【０１１２】
次に、試験用ミニエンバイロメント空間ユニット３内部の差圧を２．５Ｐａの陽圧に維持した環境にパージポート４０を適用し、パージングガスとしての窒素ガスについて、流量と供給時間の条件を変えた場合において、パージング操作に対するＦＯＵＰ１３内の酸素濃度の時間推移をみる試験を行った。この試験では、窒素ガスの流量を毎分１２０リットルと毎分１５０リットルに設定し、それぞれの流量に対し、供給時間を８０秒とした場合と、１１０秒とした場合の酸素濃度の推移から、流量と供給時間の関係を見ることとした。図１８がその結果のグラフである。
【０１１３】
なお、流量毎分１２０リットルの窒素ガスを８０秒供給した場合の窒素ガス総供給量は１６０リットルであり、１１０秒供給した場合の総供給量は２２０リットルとなる。また、流量毎分１５０リットルの窒素ガスを８０秒供給した場合の窒素ガス総供給量は２００リットルであり、１１０秒供給した場合の総供給量は２７５リットルとなる。窒素ガスの総供給量が毎分１６０リットルと、最も少ない条件である流量が毎分１２０リットルの窒素ガスを８０秒供給した場合では酸素濃度１００ｐｐｍ以下に一旦到達するが、１００ｐｐｍ以下の目標を維持できなかった。
【０１１４】
また、総供給量２７５リットルと最も多い条件である流量が毎分１５０リットルの窒素ガスを１１０秒供給した場合の酸素濃度は一時４．５７ｐｐｍまで低下しているが、密閉後の酸素濃度の上昇が大きく、毎分１２０リットルの流量で１１０秒供給した試験結果よりも酸素濃度が上昇してしまう結果となった。
【０１１５】
以上の結果から、流量毎分１５０リットルの窒素ガスを８０秒供給すれば、ＦＯＵＰ密閉後も内部を酸素濃度１００ｐｐｍ以下に維持出来ることが証明されたことになる。なお、流量毎分１２０リットルの窒素ガスを１１０秒供給した場合でも目標値は達成出来ていて、酸素濃度も最も低い数値となっているが、窒素ガスの総供給量が２２０リットル必要であることと、供給時間に１１０秒も要しており、次の工程の遅れに影響を及ぼす可能性もあるので、最適の供給条件を決定する際には注意が必要である。
【０１１６】
なお、上記の試験（図１６−図１８に示す一連の試験）で窒素ガスを供給するパージプレート４１として、ＦＯＵＰ開放面に向かう面が保護カバー５０となっていて、そのサイズは縦２６０ｍｍ横８０ｍｍで、上方部に縦１９４ｍｍ、横６８ｍｍの窒素流出面に直径２ｍｍの穴を１２４０個開けたパンチングプレート（開口率２９．６％）を具えるものを用いた。
【０１１７】
前述の図１７に表された試験で、内外差圧を０Ｐａとして窒素ガス供給開始後１８０秒までの酸素濃度の測定を行ったものでは、上記パージプレート４１の流出面から窒素を毎分１５０リットル供給したところ、試験用ＦＯＵＰ１３の密閉から６０秒後の酸素濃度を１００ｐｐｍ以下に維持するために必要な窒素ガスの供給時間は５５秒であり、１０ｐｐｍ以下にするための時間は１１０秒であった。このことから、試験用ミニエンバイロメント空間ユニット３内外の差圧は試験用ＦＯＵＰ１３を開扉してキャリア１６内にパージプレート４１から窒素を供給開始するまでキャリア１６内部への塵埃の侵入を防ぐことができれば、以後は試験用ミニエンバイロメント空間ユニット３の内外差圧はゼロであってもよいことが分かった。なお、試験用ＦＯＵＰ１３の容積は通常使用されるＦＯＵＰ１３と同じく約３０リットルであるので、この時のＦＯＵＰ１３内窒素換気回数（換算値）は５回／分となり、窒素の流出速度は窒素流出面中央部からキャリア１６内部に向けて２０ｍｍの位置で０．１９ｍ／分であった。
【０１１８】
次に、窒素ガスの供給を開始した後、ファンフィルタユニット５を止めることでクリーンブース（試験用ミニエンバイロメント空間ユニット３）内外の差圧をゼロとして、この保護カバー５０の流出面からの最低窒素供給速度を求める試験を実施した。その結果、ＦＯＵＰ内の密閉１分後の酸素濃度を１００ｐｐｍ以下とするためには、毎分４８リットルの流量で窒素ガスを供給する場合では、密閉まで６分必要であることが解った（図省略）。これ未満の窒素ガス流量は窒素ガス供給時間が掛かり過ぎ、窒素ガス消費量も多く実用的でない。この時、窒素ガスによるＦＯＵＰ内の換気回数は１．６回／分と計算される。この時の流速の測定結果は、窒素流出面中央部からＦＯＵＰ内に向けて２０ｍｍの位置で０．０６ｍ／秒であった。
【０１１９】
本発明では、ＦＯＵＰ開放面１６１の中央部付近に移動させたパージプレート４１の保護カバー５０から、窒素など不活性ガスを層流で供給し、ＦＯＵＰ奥壁で左右、上下に流れが振り分けられ、パージプレート周縁とＦＯＵＰ開放面１６１の周縁との間から排出される。本発明では不活性ガスの流れが層流であることが要求されるので、レイノルズ数を計算し検証した。一般に、円管の流体ではレイノルズ数が２０００〜４０００を超えると層流から乱流になるといわれる。
【０１２０】
レイノルズ数は、Ｒｅ＝ＵＬ／μρの式から求めることが出来る。
ここで、Ｕ：速度[m/s]、    
Ｌ：距離[m]、 パージプレート４１の窒素流出口の穴φ2ｍｍ、ウエハ間隔10mm
μ：粘度[Pa・sec]、20℃窒素1.8×10-5Pa・sec
ρ：密度[kg/m3]、20℃窒素1.165  である。
まず、パージプレート４１の各穴から流出する窒素について計算する。
【０１２１】
保護カバー５０に開けられた前記φ２ｍｍ穴１２４０個のうち１個の穴から流出する窒素ガスのレイノルズ数は、パージプレート４１からキャリア１６内部に毎分１５０リットル供給する場合でＲｅ＝６１、毎分４００リットル供給する場合でＲｅ＝１６３と計算された。この結果から、どちらの流量であっても充分層流を保っていると言える。なお、この時保護カバー５０の窒素ガス流出面から２０ｍｍ位置での流速は０．５０ｍ／秒であった。
【０１２２】
次に、ＦＯＵＰ内に流れ込んだ窒素ガスのレイノルズ数について計算する。ＦＯＵＰ内に収納されているウエハ同士の間隔Ｌ＝１０ｍｍであり、ここに毎分４００リットルの窒素ガスを供給した場合のレイノルズ数はＲｅ＝２４と小さく、層流であると言うことができる。また、この時の換気回数は１３．３回／分となるが、窒素ガス供給量が毎分４００リットルを超えると、流量に比べて置換速度が下がらず、窒素ガスの総流出量が多くなり効率が悪く、好ましいものではない。
【０１２３】
以上述べた理由から、整流板５０（パージプレートのガス流出プレート）から２０ｍｍの位置での不活性ガス（窒素）の風速は、０．０５ｍ／秒から０．５ｍ／秒の間が適当であり、好ましくは、０．１ｍ／秒から０．３ｍ／秒である。換気回数に換算すると、１．４回／分から１３．３回／分が適当であり、好ましくは２．６回／分から７回／分である。ここで述べた物理的数字は、収納容器ＦＯＵＰ１３が容積３０リットルの３００ｍｍウエハ２５枚収納用ＦＯＵＰであるとして適用したが、容器の容量や形状が変っても充分適用できる。
【０１２４】
ここまでの試験で上記実施例により、所定の時間内にＦＯＵＰ内を所定の不活性ガス濃度に雰囲気置換できることが立証された。しかし、折角ＦＯＵＰ内の雰囲気置換が出来たとしてもＦＯＵＰ内部に塵埃を浮遊させ、ウエハ表面に沈着させる結果となっては意味がない。そこで、次の試験として、試験用ミニエンバイロメント空間ユニット３内外の差圧が２．５Ｐａで流量毎分１２０リットル、１５０リットル、２００リットルの窒素ガスを１１０秒間供給した場合の試験用ＦＯＵＰ１３内ウエハ表面の塵埃数を測定した。
【０１２５】
塵埃測定試験は、ＰＷＰ（Ｐａｒｔｉｃｌｅｓ  ｏｎ  Ｗａｆｅｒ  ｐｅｒ  Ｐａｓｓ）法によって行うこととした。具体的には、予め表面に付着した塵埃の数を測定しておいた測定用のウエハ５枚を試験用ＦＯＵＰ１３内の１、７、１３、１９、２５段目の棚にそれぞれ載置し、その後パージポート４０による試験用ＦＯＵＰ１３の開扉、雰囲気置換、密閉という動作を１工程とし、これを５回繰り返す。その後測定用ウエハ表面に付着した塵埃の数を測定することで、雰囲気置換動作の１工程に於ける測定用ウエハ一枚あたりに付着した直径０．１２マイクロメートル以上の塵埃の増加個数を求めるという試験方法である。
【０１２６】
その結果、ウエハ１枚当たりの平均塵埃数は、初期１８．８個であった所、窒素ガスを毎分１２０リットル（換気回数４回／分、流速０．１５ｍ／秒）で１８．３個、毎分１５０リットル（換気回数５回／分、流速０．１９ｍ／秒）で１９．１個、毎分２００リットル（換気回数６．７回／分、流速０．２５ｍ／秒）で２２．６個であった。本試験から、毎分１５０リットルまでは塵埃数の増減は測定誤差範囲内であるが、流量が毎分２００リットルを超えると塵埃数の増加が始まっており、換気回数は７回程度以下、流速は０．３ｍ／秒程度以下が好ましいことが解った。塵埃増加の原因は、一般にウエハ裏面に付着している塵埃が多いため、裏面の塵埃が強い窒素気流で吹き飛ばされウエハ表面に沈着したと考えられる。
【０１２７】
＜パージング性能＞
以上の試験結果にサポートされた特定実施例のパージング性能を概括する。この特定実施例によれば、ＦＯＵＰに代表される３０リットル容器内の空気を通常８０秒、長くても１８０秒以下という短時間で置換でき、且つ、使用する不活性ガス量も少なくて済み、密閉後の酸素濃度を１０ｐｐｍ以下、少なくとも１００ｐｐｍ以下に保持することができた。パージプレート内に不活性ガス噴出抑制手段を設ける場合は、パージプレートの流出面を出たガスを層流に保つことができ、少量の不活性ガスで雰囲気置換させることができた。また、ＦＯＵＰ開放面より小さいパージプレートを、ＦＯＵＰ開放面の中央部に位置させて不活性ガスを流出させるため、パージプレート周縁の外を通ってＦＯＵＰの空気を排出でき、これも少量の不活性ガスでの雰囲気置換に貢献している。さらに、フランジパネル６５やシールドカバー６７にラビリンス構造を設けることにより、ＦＯＵＰ内部への空気侵入を最小限にすることができたのである。しかも、塵埃の被収容物への付着も皆無であった。本実施例の原理は、容器の容積が変っても適用できる。
【０１２８】
以上、上記実施例の説明を通じて、カバー１７とキャリア１６とを分離させる際に、カバー１７は静止したままでキャリア１６をカバー１７に対して後退動作をさせることにより分離させる移動機構を用いたロードポートにおいて不活性ガスによる雰囲気置換機能を付加する装置（パージポート４０）、方法を開示した。また、既存のこの種ロードポートとコンパチブルな雰囲気置換装置（パージポート４０）、方法について開示した。しかしながら、本発明は上記の実施例には限定されない。例えば、当業者にとって、パージポートにおいて使用する移動機構の変形は自明である。例えば、カバー１７と一体化されたＦＩＭＳドア１２一方のみをキャリア１６から遠ざかるように水平方向に移動させることによりキャリア１６とカバー１７を分離させる機構や、キャリア１６とカバー１７の両方を水平反対方向に移動させる機構を用いたロードポートに対しても本発明の雰囲気置換装置、方法を適用でき、本実施例と同様の効果を奏することは十分可能である。あるいは、簡単な構成において、キャリア１６とカバー１７を水平方向に分離させる機構と、キャリア１６とカバー１７の間の中央部に不活性ガスをこのキャリア１６内に流出させる面を有するパージプレート４１を挿入させる機構とを備え、前述の範囲の換気回数を備えたものであれば、本発明の雰囲気置換装置を構成でき、そのような装置を用いて本発明の方法を実施できる。当業者には明らかなように、詳細に説明した特定実施例のパージポートをロードポートとは独立した構造で構成し、独立して使用されるように変形することは本発明の範囲内で行える自明な変形にすぎない。
【０１２９】
また、本実施例の説明を通じて、ＳＥＭＩ規格にて規定されたシリコンウエハ用ＦＯＵＰと、ＦＯＵＰに適応するロードポートを対象として開示しているが、本発明はこれに限定されることはなく、液晶ディスプレイ基板や太陽電池パネル基板など、微細な処理を必要とする基板にも本発明を適用できる。また、処理すべき基板を収納し外部雰囲気から密閉する容器と、その容器を載置若しくは搬送する搬送装置、及び、その容器内から被処理物を搬送し、所定の処理を施す構成を有する処理装置であるかぎり、任意のこの種の処理装置のこの種の容器に対して、本発明の雰囲気置換装置、方法を有用に、適用することができる。
【符号の説明】
【０１３０】
４０：パージポート（雰囲気置換装置）
４１：パージプレート
４９：噴出抑制素子
５０：整流板（流出面）
５１−５３：パージプレート昇降機構（パージプレート駆動機構）
１３：ＦＯＵP（ＦＯＵP型容器）
１６１：開放面
１５：ウエハ（基板）
２：ロードポート
３：ミニエンバイロメント空間ユニット
４：搬送ロボット
１２：ＦＩＭＳドア（ドア）
４３＆５６：ドア駆動機構
４３：水平方向ドア駆動機構
５６：垂直方向ドア駆動機構
４５：内壁
４４：開口部
１２１：高清浄度空気通路
６７ａ，６７ｂ：ラビリンスシールドカバー
６８：補助ノズル
【図１】
0005448000.tif 000002
【図２】
0005448000.tif 000003
【図３】
0005448000.tif 000004
【図４】
0005448000.tif 000005
【図５】
0005448000.tif 000006
【図６】
0005448000.tif 000007
【図７】
0005448000.tif 000008
【図８】
0005448000.tif 000009
【図９】
0005448000.tif 000010
【図１０】
0005448000.tif 000011
【図１１】
0005448000.tif 000012
【図１２】
0005448000.tif 000013
【図１３】
0005448000.tif 000014
【図１４】
0005448000.tif 000015
【図１５】
0005448000.tif 000016
【図１６】
0005448000.tif 000017
【図１７】
0005448000.tif 000018
【図１８】
0005448000.tif 000019